(57)【要約】【課題】電源用内蔵電池を充電可能とすることで、電池の交換を不要とした充電可能な携帯タグを提供すること。【解決手段】管理システムのコントローラＣＴＬ側と、人などの移動側が携行するタグＴとを赤外線で通信するようにしたタグにおいて、タグＴ内に外部からの照射光により発電可能とした発電回路６と、赤外線発光を受光する赤外線受光回路７と、この赤外線受光信号を位置ＩＤとタグＩＤ（固有ＩＤ）を合成する信号（ＩＤ）合成回路と、合成ＩＤを赤外線信号として発光させるようにした赤外線発光回路９と、これらの回路へ電力を給電し、かつ発電回路より充電可能とした二次電池、充放電回路１０とにより構成する。【選択図】図１
2006121826.tif 000002
【特許請求の範囲】
【請求項１】
管理システムのコントローラ側と、人などの移動側が携行するタグとを赤外線で通信するようにしたタグにおいて、タグ内に外部からの照射光により発電可能とした発電回路と、赤外線発光を受光する赤外線受光回路と、この赤外線受光信号を位置ＩＤとタグＩＤ（固有ＩＤ）を合成する信号（ＩＤ）合成回路と、合成ＩＤを赤外線信号として発光させるようにした赤外線発光回路と、これらの回路へ電力を給電し、かつ発電回路より充電可能とした二次電池、充放電回路とにより構成したことを特徴とする充電可能な携帯タグ。
【請求項２】
発電回路と赤外線発光回路とを一体としたことを特徴とする請求項１記載の充電可能な携帯タグ。
【請求項３】
発電回路を、外部からの太陽等の自然光、照明光、赤外線発光等により発電可能としたことを特徴とする請求項１又は２記載の充電可能な携帯タグ。
【発明の詳細な説明】
【技術分野】
【０００１】
本発明は、充電可能な携帯タグに関し、特に、無人管理システムなどに使用され、人が携行するタグにおいて、外部からの照射光により充電するようにして、電源用の内蔵電池の交換を不要とした充電可能な携帯タグに関するものである。
【背景技術】
【０００２】
従来、防犯を兼ねた入退場管理システムとしては、アンテナを備えたタグ受信器（コントローラ）と、予め管理データ等を入力し、人或いは車両等の移動物体に配設するようにしたタグとにより構成し、施設の出入口或いはその近傍にタグ受信器（コントローラ）を配設し、このコントローラとタグ間にて光にて通信してコントローラ側の認証用データベースとタグからのデータとを認証し、これによりタグを所有した正規の許可者とタグを所有しない非許可者とを識別して施設への入退場を正確に管理、かつ防犯するようにした入退場管理システムが提案されている。
【０００３】
ところで、この管理システムにおいて使用されるタグは、人が携行可能なように小型とし、かつコントローラ側との必要な通信を行えるよう電源用電池が内蔵されている。この内蔵電池としてタグを小型化、軽量化するため、リチュウム等の所謂、ボタン型の小型電池が採用されている。
【０００４】
ところが、ボタン型の小型電池は、タグの使用にてコントローラ側との通信にて電力が消費され、消耗するために定期的に、或いは電池が消耗したときに、新しい電池と交換するようにしているが、この管理システムにおけるタグは、使用目的からして長時間連続して使用するため、電池の消耗が激しくその交換が煩わしいものとなるとともに、電池の消耗に気付かない場合が多く、そのまま連続使用すると管理システムが正常に作用しなくなり、管理にも支障をきたすという問題があった。
【発明の開示】
【発明が解決しようとする課題】
【０００５】
本発明は、上記従来の管理システム等において使用されるタグの有する問題点に鑑み、電源用内蔵電池を充電可能とすることで、電池の交換を不要とした充電可能な携帯タグを提供することを目的とする。
【課題を解決するための手段】
【０００６】
上記目的を達成するため、本発明の充電可能な携帯タグは、管理システムのコントローラ側と、人などの移動側が携行するタグとを赤外線で通信するようにしたタグにおいて、タグ内に外部からの照射光により発電可能とした発電回路と、赤外線発光を受光する赤外線受光回路と、この赤外線受光信号を位置ＩＤとタグＩＤ（固有ＩＤ）を合成する信号（ＩＤ）合成回路と、合成ＩＤを赤外線信号として発光させるようにした赤外線発光回路と、これらの回路へ電力を給電し、かつ発電回路より充電可能とした二次電池、充放電回路とにより構成したことを特徴とする。
【０００７】
この場合において、発電回路と赤外線発光回路とを一体とすることができる。
【０００８】
また、発電回路を、外部からの太陽等の自然光、照明光、赤外線発光等により発電可能とすることができる。
【発明の効果】
【０００９】
本発明の充電可能な携帯タグによれば、管理システムのコントローラ側と、人などの移動側が携行するタグとを赤外線で通信するようにしたタグにおいて、タグ内に外部からの照射光により発電可能とした発電回路と、赤外線発光を受光する赤外線受光回路と、この赤外線受光信号を位置ＩＤとタグＩＤ（固有ＩＤ）を合成する信号（ＩＤ）合成回路と、合成ＩＤを赤外線信号として発光させるようにした赤外線発光回路と、これらの回路へ電力を給電し、かつ発電回路より充電可能とした二次電池、充放電回路とにより構成することにより、内蔵電池には受光する限り常に充電されるので、電池の消耗に気を付けることなく長時間連続して使用することができ、また電池交換の煩わしさから解放され、管理システムが連続して正常に作用することができる。
【００１０】
また、発電回路と赤外線発光回路とを一体とすることにより、タグ内の回路構成を簡単としてタグをより小型化、軽量化することができる。
【００１１】
また、発電回路を、外部からの太陽等の自然光、照明光、赤外線発光等により発電可能とすることにより、大光量の自然光や照明光だけでなく、通信用のわずかな赤外線光量でも発電できるので、電池交換の煩わしさをなくしてタグの長時間の連続使用を可能とすることができる。
【発明を実施するための最良の形態】
【００１２】
以下、本発明の充電可能な携帯タグの実施の形態を、図面に基づいて説明する。
【実施例１】
【００１３】
図１に、本発明の充電可能な携帯タグの一実施例を示す。
本発明は、図１に示すように、工場、事務所、役所、その他の建物、構築物等固定側、特に限定されるものではないが、例えば、壁や天井面に配置したコントローラＣＴＬと、人、車両等の移動体側が所持或いは携行するようにした固有ＩＤを備えたタグＴとにより構成し、かつ該コントローラＣＴＬ、タグＴ間を光信号にて送受信し、このタグＴからの受信信号をコントローラＣＴＬ側に配設した認証用データベースと認証判定し、位置ＩＤ及びタグＩＤの特定を行い、かつ該認証判定結果により出入りする人或いは車両を管理するように構成する。
【００１４】
この管理システムの詳細を、図１に示すブロックフロー図に従って説明する。
コントローラＣＴＬは、特に限定されるものではないが、例えば、図１に示すように、位置ＩＤ生成回路と認証判定回路等（いずれも図示省略）よりなる計算機（ＣＰＵ）１と、外部Ｉ／Ｏ制御回路２と、前記計算機（ＣＰＵ）１内の位置ＩＤ生成回路（図示省略）にて形成された位置ＩＤの信号を赤外線の光信号に変換して発信するようにした赤外線発信回路３とにより構成し、これにタグＩＤと位置ＩＤをキーにデータベースから認証結果を取得するようにする認証用データベース（図示省略）を接続するようにする。
なお、赤外線発信回路３を、必要に応じてコントローラＣＴＬの内部に配設することもできる。
【００１５】
また、コントローラＣＴＬの赤外線発信回路３には、赤外線発光器４、例えば、赤外線発光ＬＥＤを接続して赤外線発信回路３からの位置ＩＤ信号を光信号に変換し赤外線として発光させ、人又は車両等の移動体側、特に限定されるものではないが、例えば、固有ＩＤを有するタグＴを所持している人が、前記赤外線発光器４の赤外線照射エリア内に侵入すると該タグＴにてこの赤外線信号を受光するように構成する。
この赤外線発光器４（赤外線発光ＬＥＤ）は、入退場を検知する設定された場所となる１つの仮想ゲートに複数個を配設することができ、さらにはこのように構成した仮想ゲートの複数を配設することができる。
【００１６】
このタグＴは、人、例えば、作業者等が所持する場合、名札やバッチの如く形成して胸に装着しやすい大きさ、形状とするか、首から吊り下げるようにして外部からの照射光と赤外線発光器からの赤外線発光を直接受光できるようにする。
なお、車両に装着する場合には、車両のボンネットなど外部から同様に、照射光と赤外線発光とを受光できるように構成する。
【００１７】
また、このタグＴの構成は、図１に示すように、１つのケース内に、太陽等の自然光、照明光、赤外線発光等、外部からの照射光（外光）により発電可能とした発電回路６と、赤外線発光を受光できるようにした赤外線受光回路７と、この赤外線受光回路７にて受光した光信号を位置ＩＤに変換するとともに、この位置ＩＤとタグＩＤ（固有ＩＤ）を合成するようにした信号（ＩＤ）合成回路８と、合成ＩＤを赤外線信号に変換して発光ＬＥＤより赤外線を発光するようにした赤外線発光回路９と、これらの赤外線受光回路７、信号（ＩＤ）合成回路８、赤外線発光回路９へ電力を給電するように内蔵した二次電池、充放電回路１０とからなるが、必要に応じて発電回路６と赤外線受光回路７とを一体とし、これにより、１つの回路で赤外線信号の受信と発電機能とを併せ持つようにすることもできる。
なお、この場合、赤外線受光回路７に使用する受光フォトダイオードは、外光、照明光及び赤外線発光器からの光を電気エネルギーに変換して二次電池に蓄えるようにするものであるため、赤外線領域の感度が大きいものを使用するのが望ましい。
【００１８】
このタグＴ内に内蔵する二次電池、充放電回路１０は、充放電可能な電池と充放電回路とにより構成し、太陽等の自然光、照明光、赤外線発光等、外部からの照射光を発電回路６にて受光することにより発電される電力を二次電池、充放電回路１０にて充電するようにするとともに、同時に該二次電池、充放電回路１０から、赤外線受光回路７、信号（ＩＤ）合成回路８、赤外線発光回路９へ電力を給電できるように電気的に接続して構成する。
【００１９】
このタグＴから発光される赤外線信号を受信するための赤外線受信回路５を、外部の固定側、特に限定されるものではないが、例えば、コントローラＣＴＬの近傍に配置し、かつコントローラＣＴＬと接続し、この赤外線受信回路５にて受信した赤外線信号をコントローラＣＴＬ内の外部Ｉ／Ｏ制御回路２に投入できるように配設する。
【００２０】
次に、本発明の充電可能な携帯タグの作用について説明する。
コントローラＣＴＬ、タグＴ間を光信号にて送受信し、このタグＴからの受信信号をコントローラＣＴＬ側に配設した認証用データベースと判定し、位置ＩＤ及びタグＩＤの特定を行い、かつ該認証判定結果により出入りする人或いは車両を管理する場合、タグＴ内の各回路７、８、９には、二次電池、充放電回路１０から必要電力が給電されるとともに、太陽等の自然光、照明光、赤外線発光等、外部からの照射光が発電回路６の受光フォトダイオードにて受光し、これにより光を電気エネルギーに変換して二次電池、充放電回路１０に、給電と同時に蓄電するようになる。このため、常に内蔵電池には充電されるので、内蔵電池は交換することなく連続的に使用することが可能となる。
【００２１】
以上、本発明の充電可能な携帯タグについて、実施例に基づいて説明したが、本発明は上記実施例に記載した構成に限定されるものではなく、その趣旨を逸脱しない範囲において適宜その構成を変更することができるものである。
【産業上の利用可能性】
【００２２】
本発明の充電可能な携帯タグは、人が携行するタグ内の電源用の内部電池に、外部からの照射光により充電するようにすることにより、長時間連続的に使用可能とするという特性を有していることから、管理システム等に使用されるタグ用内蔵電源装置の用途に好適に用いることができるほか、例えば、露出する位置に携行するような小型の通信機器の用途にも用いることができる。
【図面の簡単な説明】
【００２３】
【図１】本発明の充電可能な携帯タグの一実施例を示す説明図である。
【符号の説明】
【００２４】
ＣＴＬ  コントローラ
Ｔ    タグ
１    計算機（ＣＰＵ）
２    外部Ｉ／Ｏ制御回路
３    赤外線発信回路
４    赤外線発光器（赤外線発光ＬＥＤ）
５    赤外線受信回路
６    発電回路
７    赤外線受光回路
８    信号（ＩＤ）合成回路
９    赤外線発光回路
１０  二次電池、充放電回路
【図１】
2006121826.tif 000003